(57)【要約】【課題】ガラスグローブの固定を確実にし、グローブの落下を防止する蛍光ランプおよび照明器具を提供する。【解決手段】蛍光ランプ１は、蛍光管１１、蛍光管１１を被うグローブ１２、蛍光管１１を点灯する点灯回路１３、点灯回路１３を収容する収容部１４および口金１５を備える。収容部１４は、外周部分である外壁１４ｂに係止部１４ａが一体に形成されており、係止部１４ａに対向する側の外壁１４ｂは凹部を備える。グローブ１２と収容部１４を嵌め合わせたとき、収容部１４の係止部１４ａは、グローブ１２の内面側からまち１２ａ部分を支持し、蛍光ランプ１のグローブ１２が外れるのを防ぐ。【選択図】図１
2011165358.tif 000002
【特許請求の範囲】
【請求項１】
蛍光管と、
前記蛍光管を被うグローブと、
前記蛍光管を点灯する点灯回路と、
前記グローブの取付け方向に対して傾斜し、該グローブを前記取付け方向と反対の向きに付勢する変位可能な係止部を外周に少なくとも２つ備える、前記点灯回路を収容する収容部と、
を備えることを特徴とする蛍光ランプ。
【請求項２】
前記収容部は樹脂製であって、前記係止部と一体となって形成されたものであることを特徴とする請求項１に記載の蛍光ランプ。
【請求項３】
前記係止部は、等間隔に形成されることを特徴とする請求項１または２に記載の蛍光ランプ。
【請求項４】
前記蛍光管は、スパイラル形状またはＤ型形状であることを特徴とする請求項１ないし３のいずれか１項に記載の蛍光ランプ。
【請求項５】
請求項１ないし４のいずれか１項に記載の蛍光ランプを備えることを特徴とする照明器具。
【発明の詳細な説明】
【技術分野】
【０００１】
本発明は、蛍光ランプおよび照明器具に関する。より詳しくは、点灯回路内蔵蛍光ランプおよびその蛍光ランプを備える照明器具に関する。
【背景技術】
【０００２】
白熱灯用の照明器具をそのまま用いながら消費電力を押さえるために、点灯回路を内蔵した電球形の蛍光ランプが用いられている。電球を置き換えるため、また、照明器具の制約をできるだけ電球に近づけるために、電球形の蛍光ランプはよりコンパクトになっている。蛍光ランプの蛍光管は、光透過性と耐熱性のあるガラス素材のグローブで被われ、蛍光ランプのグローブは、点灯回路を内蔵する側に接着剤で取り付けられる。
【０００３】
特許文献１には、照明器具本体に、折曲部を有するグローブ保持具を、取付具で固定し、グローブの保持を確実にする照明器具が記載されている。
【０００４】
特許文献２には、照明器具本体に支持金具を備え、支持金具の折り返し片と、切り起こし片で、照明器具の反射笠部分を挟み、落下を防止する反射笠支持装置が記載されている。
【０００５】
特許文献３には、照明器具の基体に、フックを備えた落下防止装置を締結部材で固定してガラスグローブの落下防止の確実性を向上させた照明器具が記載されている。
【先行技術文献】
【特許文献】
【０００６】
【特許文献１】特開平０９−１６１５２７号公報
【特許文献２】特開２００５−３８７８１号公報
【特許文献３】特開２００９−１９９９６６号公報
【発明の概要】
【発明が解決しようとする課題】
【０００７】
上述した特許文献１、３ではグローブの落下防止、特許文献２では反射笠の落下防止を目的としている。いずれも、支持するための部材と、その支持するための部材を照明器具に固定する部材が必要である。
【０００８】
本発明は、上記事情に鑑みてなされたものであり、ガラスグローブの固定を確実にし、グローブの落下を防止する蛍光ランプおよび照明器具を提供することを目的とする。
【課題を解決するための手段】
【０００９】
本発明の第１の観点に係る蛍光ランプは、
蛍光管と、
前記蛍光管を被うグローブと、
前記蛍光管を点灯する点灯回路と、
前記グローブの取付け方向に対して傾斜し、該グローブを前記取付け方向と反対の向きに付勢する変位可能な係止部を外周に少なくとも２つ備える、前記点灯回路を収容する収容部と、
を備えることを特徴とする。
【００１０】
本発明の第２の観点に係る照明器具は、
第１の観点に係る蛍光ランプを備えることを特徴とする。
【発明の効果】
【００１１】
本発明によれば、ガラスグローブの固定を確実にし、グローブの落下を防止できる。
【図面の簡単な説明】
【００１２】
【図１】本発明の実施の形態１に係る蛍光ランプの構成例を示す側面図である。グローブ部分のみ断面で示す。
【図２】図１の本発明に係る蛍光ランプの、矢印Ａの向きへ見た平面図である。
【図３】図１の本発明に係る蛍光ランプの、一点鎖線で囲んだ部分Ｂの斜視図である。
【図４】蛍光ランプの例を示す側面図である。
【図５】蛍光管の例を示す側面図である。
【図６】本発明の実施の形態２に係る照明器具の構成例を示す図で、（ａ）は側面図、（ｂ）は照明方向側から見た平面図である。
【発明を実施するための形態】
【００１３】
以下、本発明の実施の形態について図面を参照しながら詳細に説明する。なお、図中同一または相当部分には同一符号を付す。
【００１４】
（実施の形態１）
図１は、本発明の実施の形態１に係る蛍光ランプの構成例を示す側面図である。グローブ部分のみ断面で示す。図２は、図１の本発明に係る蛍光ランプの、矢印Ａの向きへ見た平面図である。蛍光ランプは、点灯回路内蔵蛍光ランプのことを指す。
【００１５】
図１に示すように、蛍光ランプ１は、蛍光管１１、蛍光管１１を被うグローブ１２、蛍光管１１を点灯する点灯回路１３、点灯回路１３を収容する収容部１４および口金１５を備える。収容部１４は、外周部分である外壁１４ｂに係止部１４ａが形成されている。
【００１６】
点灯回路１３の電源端子は、口金１５に接続されている。また、点灯回路１３の出力端子は、蛍光管１１の電極に接続されている。蛍光ランプ１は、口金１５をそれに適合するソケット（図示せず）に挿入して、電源、例えば交流１００Ｖの商用電源、を接続すると点灯回路１３の作用によって、蛍光管１１が点灯する。点灯回路１３は、例えば、高周波点灯方式の回路を用いる。
【００１７】
グローブ１２はガラスで形成され、開口部には、まち１２ａを備える。グローブ１２の開口部は、収容部１４の外壁１４ｂの径より若干大きく、グローブ１２と収容部１４を嵌め合わせたときに間隙を設ける。グローブ１２のまち１２ａは、収容部１４の係止部１４ａでなす円より大きい。
【００１８】
図３は、図１の本発明に係る蛍光ランプの、一点鎖線で囲んだ部分Ｂの斜視図である。収容部１４は樹脂製であり、係止部１４ａは収容部１４と一体で形成され、収容部１４の外壁１４ｂに直接、切り起こした形状で形成される。係止部１４ａを形成した部分の、対向する外壁１４ｂは、凹部１４ｃとなる。係止部１４ａは少なくとも２つ以上であり、本実施の形態では等間隔で３つ形成されている（図２参照）。
【００１９】
係止部１４ａは、樹脂の素材であり、外壁１４ｂに向かって、すなわち、収容部１４中央に向かって変位可能である。付勢しない状態のとき、係止部１４ａは、切り起こした爪部の先端が、外壁１４ｂを形成する円より外側に位置する。係止部１４ａに対して、収容部１４の中央方向に力を加えると、すなわち付勢した状態のとき、係止部１４ａが凹部１４ｃに嵌入し、係止部１４ａは外壁１４ｂを形成する円と一致し、外壁１４ｂは円筒状となる。この付勢して円筒状となったとき、収容部１４の径がグローブ１２の開口部の径より小さくなり、グローブ１２と収容部１４を嵌め合わせることができる。
【００２０】
グローブ１２に蛍光管１１を挿入して、グローブ１２の開口部を収容部１４で閉じるようにグローブ１２と収容部１４を嵌め合わせると、係止部１４ａの爪部は、グローブ１２の開口部よりグローブ１２内面に位置し、グローブ１２の開口部より付勢されていた力が解除される。係止部１４ａは、付勢力がなくなり、変位した状態から元の状態に戻り、外壁１４ｂを形成する円より外側に、切り起こした爪部の先端が位置する。その結果、係止部１４ａは、グローブ１２のまち１２ａをグローブ１２の内面側から支持する状態となる。
【００２１】
蛍光ランプ１は、グローブ１２と収容部１４を嵌め合わせた後に、グローブ１２の開口部付近に接着剤を塗布し、グローブ１２と収容部１４の固定を行う。蛍光ランプ１の製造時、接着剤の状態によらず、グローブ１２は外れることがないので、接着作業が容易である。
【００２２】
図４は、蛍光ランプの例を示す側面図である。本発明の説明では、蛍光ランプ１は、図４（ａ）の一般的な電球形状のＡ形を例に挙げて説明したが、図４（ｂ）のボール形状であるＧ形、図４（ｃ）のレフ形にも同様に適用でき、これらは一例である。
【００２３】
図５は、蛍光管の例を示す側面図である。本発明の説明では、蛍光管１１は、図５（ａ）のスパイラル形状を例に挙げて説明したが、図５（ｂ）のＤ型形状にも同様に適用でき、これらは一例である。
【００２４】
（実施の形態２）
図６は、本発明の実施の形態２に係る照明器具の構成例を示す図で、（ａ）は側面図、（ｂ）は照明方向側から見た平面図である。
【００２５】
照明器具２は、かさ２１、コード吊し２２および蛍光ランプ１から構成される。蛍光ランプ１は、照明器具２に取り付けたときに、かさ２１の開口部付近に取り付けられるようになっている。かさ２１は、円錐台の形状であって、その内側に、蛍光ランプ１の口金に適合するソケット（図示せず）を備える。コード吊し２２は、照明器具２を天井などから吊り下げて支持することができ、ソケットを電源に接続するコードが内蔵されている。
【００２６】
以上説明したように、本発明によれば、ガラスグローブの固定を確実にし、グローブの落下を防止できる。蛍光ランプからグローブを外す向きへ力を加えてもグローブが係止されているため、グローブが蛍光ランプから外れるおそれがなくなる。
【００２７】
また、グローブが蛍光ランプから外れることがないので、照明器具に蛍光ランプを使用する際に、グローブの落下を防止することができる。
【００２８】
さらに、点灯回路を収容する収容部を形成する際に、収容部と一体となるように樹脂で形成することができるので、部品を少なくし、組立工数を少なくできる。加えて、接着剤の状態によらず、グローブが外れることがないので、接着剤を用いた接着工程の管理が行いやすくなる。その結果、蛍光ランプの製造工程が容易となる。
【００２９】
実施の形態において、収容部に形成する係止部は、グローブが安定する最小の数である３つの場合を例に挙げて説明したが、２つであってもよい。係止部は等間隔に形成することで安定性が増し、特に２つの場合は、回転対称の位置で形成することが好ましい。
【００３０】
また、蛍光管は、スパイラル形状に限らず、Ｄ型形状、その他任意に設定可能である。さらに、蛍光管を被うグローブについても、Ａ形（一般電球形状）に限らず、ボール形状のＧ形、レフ形、その他の形状にも同様に適用できる。
【００３１】
さらに、前記の蛍光ランプを取り付ける照明器具は一例であり、任意に設定可能である。
【００３２】
上記の実施形態の一部または全部は、以下の付記のようにも記載されうるが、以下には限られない。
【００３３】
（付記１）蛍光管と、
前記蛍光管を被うグローブと、
前記蛍光管を点灯する点灯回路と、
前記グローブの取付け方向に対して傾斜し、該グローブを前記取付け方向と反対の向きに付勢する変位可能な係止部を外周に少なくとも２つ備える、前記点灯回路を収容する収容部と、
を備えることを特徴とする蛍光ランプ。
【００３４】
（付記２）前記収容部は樹脂製であって、前記係止部と一体となって形成されたものであることを特徴とする付記１に記載の蛍光ランプ。
【００３５】
（付記３）前記係止部は、等間隔に形成されることを特徴とする付記１または２に記載の蛍光ランプ。
【００３６】
（付記４）前記蛍光管は、スパイラル形状またはＤ型形状であることを特徴とする付記１ないし３のいずれかに記載の蛍光ランプ。
【００３７】
（付記５）付記１ないし４のいずれかに記載の蛍光ランプを備えることを特徴とする照明器具。
【符号の説明】
【００３８】
１    蛍光ランプ
２    照明器具
１１    蛍光管
１２    グローブ
１２ａ  まち
１３    点灯回路
１４    収容部
１４ａ  係止部
１４ｂ  外壁
１４ｃ  凹部
１５    口金
２１    かさ
２２    コード吊し
【図１】
2011165358.tif 000003
【図２】
2011165358.tif 000004
【図３】
2011165358.tif 000005
【図４】
2011165358.tif 000006
【図５】
2011165358.tif 000007
【図６】
2011165358.tif 000008